(57)【要約】      （修正有）【課題】巻回中心軸がトラッキング方向及びフォーカス方向に直交する方向になるように巻回されたトラッキングコイルをレンズホルダーに装着する対物レンズ駆動装置で、トラッキングコイルを直接レンズホルダーに巻回する構成とすることにより、トラッキングコイル及びフォーカスコイルが重ならないように配置して磁気ギャップを狭める。【解決手段】レンズホルダーを上側ピース７及び下側ピース８を結合させて構成し、上側ピース７及び下側ピース８の一方にトラッキングコイル１２を巻回する第１ボビン部を設けると共に、上側ピース７及び下側ピース８の他方にフォーカスコイルを巻回する第２ボビン部を設けている。これによりレンズホルダーの各ピース７，８にそれぞれ前記トラッキングコイル及び前記フォーカスコイルを直接巻回した後に前記各ピースを結合させてレンズホルダーを構成する。【選択図】図２
2006344276.tif 000002
【特許請求の範囲】
【請求項１】
対物レンズが取り付けられるレンズホルダーがアクチュエータフレームに変位可能に弾性的に支持される対物レンズ駆動装置であって、前記レンズホルダーを上側ピース及び下側ピースを結合させて構成し、前記上側ピース及び下側ピースの一方にトラッキングコイルを巻回する第１ボビン部を設けると共に、前記上側ピース及び下側ピースの他方にフォーカスコイルを巻回する第２ボビン部を設けたことを特徴とする対物レンズ駆動装置。
【請求項２】
前記第１ボビン部にトラッキングコイルの端末を絡げ処理する突部を設けると共に、前記第２ボビン部にフォーカスコイルの端末を絡げ処理する突部を設けることを特徴とする請求項１記載の対物レンズ駆動装置。
【請求項３】
前記上側ピース及び下側ピースを互いに噛み合わせるように結合させてトラッキングコイルの有効領域とフォーカスコイルの有効領域とを重ならないようにトラッキング方向に並べて配置し、前記トラッキングコイルの有効領域及びフォーカスコイルの有効領域に有効磁束を発生するマグネットが対向配置されることを特徴とする請求項１記載の対物レンズ駆動装置。
【請求項４】
上側ピースに対物レンズを取り付けると共に、上側ピースにレンズホルダーをアクチュエータフレームに変位可能に弾性的に支持する弾性支持部材を固定する固定部が形成されることを特徴とする請求項１記載の対物レンズ駆動装置。
【請求項５】
上側ピース及び下側ピースを結合させた状態において、第１ボビン部を挟んで２つの第２ボビン部がトラッキング方向に並ぶように配置される構成のレンズホルダーとし、トラッキングコイルを挟んで２つのフォーカスコイルの有効領域をトラッキング方向に並べ、第１ボビン部のトラッキングコイルの巻回軸をトラッキング方向及びフォーカス方向に直交する方向とし、トラッキングコイル及び２つのフォーカスコイルの有効領域とにマグネットを対向配置し、このマグネットにおけるトラッキングコイルの一方の有効領域及び一方のフォーカスコイルの有効領域に対向する範囲とトラッキングコイルの他方の有効領域及び他方のフォーカスコイルの有効領域に対向する範囲とで逆の磁極とし、トラッキングコイルの一方の有効領域と他方の有効領域とに逆向きのトラッキング駆動電流を供給すると共に、２つのフォーカスコイルの有効領域に逆向きのフォーカス駆動電流を供給することを特徴とする請求項１記載の対物レンズ駆動装置。
【請求項６】
２つの第２ボビン部にそれぞれフォーカスコイルと同軸上にチルトコイルを重ね巻きしたことを特徴とする請求項５記載の対物レンズ駆動装置。
【請求項７】
上側ピースに対物レンズを取り付けると共に、第１ボビン部を形成し、下側ピースに第１ボビン部を挟むべく２つの第２ボビン部を下面で連結して形成し、かつ、前記上側ピースに下側ピースの２つの第２ボビン部の外側両側面を覆うべく両側にそれぞれ側壁を形成し、これらの側壁にレンズホルダーをアクチュエータフレームに変位可能に弾性的に支持する弾性支持部材を固定する固定部が形成されることを特徴とする請求項５記載の対物レンズ駆動装置。
【発明の詳細な説明】
【技術分野】
【０００１】
本発明は、対物レンズが取り付けられるレンズホルダーがアクチュエータフレームに変位可能に弾性的に支持される対物レンズ駆動装置に関し、特に、対物レンズの光軸を中心にして両側に２つのフォーカスコイルがトラッキング方向に並んで配置される構成に好適な対物レンズ駆動装置に関する。
【背景技術】
【０００２】
ディスク等の信号記録媒体に対して光学的に信号の読み取り、あるいは書き込みを行う光学ヘッドにおける対物レンズ駆動装置においては、周知のように、対物レンズが取り付けられたレンズホルダーをアクチュエータフレームに対して変位可能に支持し、フォーカスコイル及びトラッキングコイル、あるいは必要に応じてチルトコイルを前記レンズホルダーに装着すると共に、これらの駆動コイルの有効領域を磁気回路により形成される所定の磁界内に配置することにより各駆動コイルに供給する信号に応じて対物レンズを駆動する構成となっている。
【０００３】
各駆動コイルをレンズホルダーに装着するのに、各駆動コイルを巻回しておきその各駆動コイルをレンズホルダーに接着したり、レンズホルダー自体をボビンとしてレンズホルダーに直接各駆動コイルを巻回したり、あるいは各駆動コイルをプリント基板上にパターンとして形成されるプリントコイルにより構成しそのプリントコイルをレンズホルダーに接着する方法がある。レンズホルダー自体をボビンとしてレンズホルダーに直接各駆動コイルを巻回する方法は、駆動特性及び組立作業性で有利であり、対物レンズ駆動装置にこの方法を採用したい場合も多い。
【０００４】
ところで、対物レンズ駆動装置としては、巻回中心軸がトラッキング方向及びフォーカス方向に直交する方向になるように略矩形に巻回されたトラッキングコイルを磁気回路を構成するマグネットの磁極面に対向させてレンズホルダーに装着する構成が知られている（例えば、特許文献１参照）。
【０００５】
このような対物レンズ駆動装置は、各トラッキングコイルにフォーカス方向に平行な領域が２辺形成されるので、マグネットにより発生される磁束を前記各トラッキングコイルの２辺で互いに逆極性にすることで、この２辺をトラッキング方向に駆動させるのに有効な有効領域とすることが出来、トラッキング方向の駆動感度を高くすることが可能である。
【０００６】
ところで、対物レンズ駆動装置においては、対物レンズをレンズホルダーの中央に配置し、トラッキング方向及びフォーカス方向に直交する方向にレンズホルダーを挟んで両側に磁気回路を形成する一対のマグネットを対向配置すると共に、これらの各マグネットにそれぞれ対向する一対の駆動コイルを前記レンズホルダーに装着し、レンズホルダーに作用する駆動中心を対物レンズの中心に一致させて良好な特性を得られるようにする場合が多い。
【０００７】
そして、最近の対物レンズ駆動装置においては、ディスクの高密度化に対応させるべくディスクに対して照射されるレーザ光の光軸を垂直になるようにするため、ディスクの径方向の傾きに、すなわちラジアルスキュー方向に対物レンズを傾けて駆動可能のようにレンズホルダーにチルトコイルが装着される（特許文献２参照）。
【特許文献１】特開平２−２２６５２２号公報
【特許文献２】特開２００１−１１８２６９号公報
【発明の開示】
【発明が解決しようとする課題】
【０００８】
ところで、巻回中心軸がトラッキング方向及びフォーカス方向に直交する方向になるように巻回されたトラッキングコイルをレンズホルダーに装着する対物レンズ駆動装置の場合、磁気回路による同一磁界を利用することから一般にトラッキングコイルをフォーカスコイルに重ねて配置するので、このような対物レンズ駆動装置はトラッキングコイルを直接レンズホルダーに巻回する構成とできず、組立作業性に不利であると共に、トラッキングコイル及びフォーカスコイルが重なっていることにより磁気ギャップを狭めることができず、駆動感度を高める点で不利であった。
【０００９】
また、ラジアルスキュー方向に対物レンズを傾けて駆動可能にした対物レンズ駆動装置の場合、一般にフォーカスコイル及びチルトコイル、あるいはフォーカスコイルを対物レンズを挟んでトラッキング方向の両側にそれぞれ配置すると共に、各側のコイルが互いに逆極性の磁界内に配置されるように磁気回路を構成する。このような対物レンズ駆動装置はフォーカスコイル及びチルトコイル、あるいはフォーカスコイルを直接レンズホルダーに巻回する構成とできず、また、トラッキングコイルを有効に利用するべく両側のフォーカスコイルの間にトラッキングコイルが配置されることが多いことからトラッキングコイルを直接レンズホルダーに巻回する構成とできず、組立作業性に問題があった。更に、両側のフォーカスコイルの間で各フォーカスコイルに重ねてトラッキングコイルが配置されることが多いことから駆動感度の点で不利であった。
【課題を解決するための手段】
【００１０】
本発明は、レンズホルダーを上側ピース及び下側ピースを結合させて構成し、前記上側ピース及び下側ピースの一方にトラッキングコイルを巻回する第１ボビン部を設けると共に、前記上側ピース及び下側ピースの他方にフォーカスコイルを巻回する第２ボビン部を設けている。これによりレンズホルダーの各ピースにそれぞれトラッキングコイル及びフォーカスコイルを直接巻回した後に前記各ピースを結合させてトラッキングコイル及びフォーカスコイルを装着したレンズホルダーを構成する。
【発明の効果】
【００１１】
本発明の対物レンズ駆動装置は、レンズホルダーの各ピースにそれぞれトラッキングコイル及びフォーカスコイルを直接巻回した後に前記各ピースを結合させてトラッキングコイル及びフォーカスコイルを装着したレンズホルダーが構成され、組立作業性が良好である。
【００１２】
この場合、各ボビン部に各駆動コイルの端末を絡げる突部を設けているので、ボビン部に巻回した駆動コイルの端末処理を完了した状態で上側ピース及び下側ピースを結合させてレンズホルダーを構成することができる。
【００１３】
また、上側ピース及び下側ピースを互いに噛み合わせるように結合させてレンズホルダーを構成し、トラッキングコイルの有効領域とフォーカスコイルの有効領域とを重ならないようにトラッキング方向に並べて配置することができるので、トラッキングコイル及びフォーカスコイルを共に磁気回路を構成するマグネットの磁極面に接近させて配置でき、トラッキング方向及びフォーカス方向の両方の駆動感度を高くするのに有利である。
【００１４】
トラッキングコイルを挟んで２つのフォーカスコイルの有効領域をトラッキング方向に並べる構成のレンズホルダーを備える対物レンズ駆動装置において、上側ピース及び下側ピースを互いに噛み合わせて第１ボビン部を挟んで２つの第２ボビン部が配置されるように結合させてレンズホルダーを構成しているので、トラッキングコイル及び２つのフォー
カスコイルを直接ボビン部に巻回することができる。
【００１５】
この場合、２つの第２ボビン部にそれぞれフォーカスコイルと同軸上にチルトコイルを重ね巻きすることで、ディスクのラジアル方向のチルト制御に対応させることができる。
【００１６】
また、対物レンズを取り付ける上側ピースに弾性支持部材を固定する固定部が形成されるので、レンズホルダーをアクチュエータフレームに弾性支持部材により支持した状態において対物レンズの光軸の向きの精度向上が図れる。
【実施例】
【００１７】
図１は本発明に係る対物レンズ駆動装置の一例の完成状態を示す斜視図、図２は図１の対物レンズ駆動装置の本発明の主要部であるレンズホルダーを示した展開斜視図である。
【００１８】
アクチュエータフレーム１には軟鉄の金属板を板金加工により一体に外部ヨーク部２，３が形成され、この外部ヨーク部２，３にはレンズホルダー４を挟んだ両側に対向配置されるべく一対のメインマグネット５，６がそれぞれ付設されている。
【００１９】
前記レンズホルダー４は上側ピース７及び下側ピース８を結合させて構成され、図３に示す展開斜視図に示す如く、上側ピース７には中央上面に対物レンズ９が取り付けられるレンズ取付部１０、トラッキング方向と平行でありメインマグネット５，６に対向する各側壁中央にそれぞれ第１ボビン部７ａ（メインマグネット６に対向する第１ボビン部７ａは図示されず）が一体に形成されている。一方、下側ピース８には対物レンズ９の下方の上側ピース７の第１ボビン部７ａが形成される側壁を避けるように挟んでトラッキング方向に並ぶように中空の矩形状の２つの第２ボビン部８ａ，８ｂが対物レンズ９への光路用孔１１が形成された連結部８ｃにより下面で連結されて設けられている。
【００２０】
また、上側ピース７は下側ピース８の２つの第２ボビン部８ａ，８ｂの外側両側面を覆うべくトラッキング方向の両側にそれぞれ側壁７ｃ，７ｄが形成されており、これらの側壁７ｃ，７ｄにはレンズホルダー４をアクチュエータフレーム１に変位可能に弾性的に支持する弾性支持部材となる各支持ワイヤー１８を固定する固定部１９が各側壁７ｃ，７ｄに３本ずつ略上下に等間隔にトラッキング方向と垂直の対物レンズ９の光軸上の仮想面に対して面対称に形成されている。
【００２１】
上側ピース７及び下側ピース８を結合させてレンズホルダー４を構成する前に、図２に示す如く、上側ピース７のトラッキング方向と平行の両側壁の各第１ボビン部７ａにはそれぞれトラッキングコイル１２が巻回され、下側ピース８の２つの第２ボビン部８ａ，８ｂにはそれぞれフォーカスコイル１３ａ，１３ｂ及びチルトコイル１４ａ，１４ｂが同軸上に巻回される。
【００２２】
そして、上側ピース７及び下側ピース８は、トラッキング方向の並びで第１ボビン部７ａが形成される上側ピース７の各側壁と下側ピース８の２つの第２ボビン部８ａ，８ｂとが噛み合うように結合されて、図４に示す如くレンズホルダー４を構成し、各ピースの結合によりレンズホルダー４が構成された状態において、レンズホルダー４にはトラッキングコイル１２、フォーカスコイル１３ａ，１３ｂ及びチルトコイル１４ａ，１４ｂの各駆動コイルが装着された状態となる。
【００２３】
ところで、上側ピース７のトラッキング方向と垂直の側壁７ｃ，７ｄには中間の高さに所定の端辺付近にそれぞれ一体に形成される鉤状の突部１５ａ，１５ｂがトラッキング方向に突出されており、これらの突部１５ａ，１５ｂにより各第１ボビン部７ａに連続して巻回されるトラッキングコイル１２の素線が端末処理される。
【００２４】
各第１ボビン部７ａにそれぞれ巻回されるトラッキングコイル１２は、表面に絶縁皮膜が施された銅線、例えばエナメル線を素線にして皮膜を剥がした端末（始端）を突部１５ａ，１５ｂの一方に絡げて係止され、その素線を各第１ボビン部７ａの一方及び他方にそれぞれ互いに反対回り方向に所定の同一回数巻回され、その後、皮膜を剥がした素線の端末（終端）を前記突部１５ａ，１５ｂの始端が係止されていない他方に絡げて係止される。
【００２５】
下側ピース８の第２ボビン部８ａ，８ｂの上枠及び下枠部分には所定の角付近からそれぞれ一体に形成される鉤状の各上側突部１６ａ，１６ｂ及び各下側突部１７ａ，１７ｂがトラッキング方向に突出されており、各上側突部１６ａ，１６ｂにより第２ボビン部８ａ，８ｂに連続して巻回されるフォーカスコイル１３ａ，１３ｂの素線が端末処理され、各下側突部１７ａ，１７ｂにより第２ボビン部８ａ，８ｂに連続して巻回されるチルトコイル１４ａ，１４ｂの素線が端末処理される。
【００２６】
第２ボビン部８ａ，８ｂにそれぞれ巻回されるフォーカスコイル１３ａ，１３ｂは、トラッキングコイル１２と同様に表面に絶縁皮膜が施された銅線、例えばエナメル線を素線にして皮膜を剥がした端末（始端）を上側突部１６ａ，１６ｂの一方に絡げて係止され、その素線を第２ボビン部８ａ，８ｂの一方及び他方にそれぞれ互いに反対回り方向に所定の同一回数巻回され、その後、皮膜を剥がした素線の端末（終端）を前記上側突部１６ａ，１６ｂの始端が係止されていない他方に絡げて係止される。
【００２７】
また、第２ボビン部８ａ，８ｂにそれぞれ巻回されるチルトコイル１４ａ，１４ｂは、他の駆動コイルと同様に表面に絶縁皮膜が施された銅線、例えばエナメル線を素線にして皮膜を剥がした端末（始端）を下側突部１７ａ，１７ｂの一方に絡げて係止され、その素線を第２ボビン部８ａ，８ｂの一方及び他方にそれぞれ同じ回り方向にフォーカスコイル１３ａあるいは１４ｂに同軸上に重ねて所定の同一回数巻回され、その後、皮膜を剥がした素線の端末（終端）を前記下側突部１７ａ，１７ｂの始端が係止されていない他方に絡げて係止される。
【００２８】
上側ピース７及び下側ピース８を結合させて構成されるレンズホルダー４は、アクチュエータフレーム１の切り起こし部１ａに補助部材２０と一緒に固定される固定基板２１に各一端が固定される６本の支持ワイヤー１８を上側ピース７の各側壁７ｃ，７ｄの固定部１９にそれぞれ固定されて各側３本ずつの６本の支持ワイヤー１８により架設される。
【００２９】
これによりレンズホルダー４は、６本の支持ワイヤー１８によりアクチュエータフレーム１にフォーカス方向、トラッキング方向及びラジアルチルト方向に変位可能に弾性的に支持される。
【００３０】
６本の支持ワイヤー１８の固定基板２１に固定される端部ではないもう一方の各端部は所定の突部に接触あるいは接近して配置され、前記所定の突部に絡げられた駆動コイルの素線の端末にハンダ付けにより所定の支持ワイヤー１８と所定の駆動コイルとがそれぞれ関係付けられて接続される。
【００３１】
また、６本の支持ワイヤー１８は補助部材２０に充填されるダンプ剤にそれぞれ囲繞され、制振が図られている。
【００３２】
ところで、磁気回路は図５に示す構成となっており、磁気回路の磁極を平面に示した図６を用いて説明すると、メインマグネット５，６はトラッキング方向の中央で逆の磁極に二分するようになっており、各メインマグネット５，６間で同極性が対向するようになっ
ている。この場合、メインマグネット５，６はそれぞれ磁極が相違する境界で別体であっても良いし、各一体のメインマグネット５，６を着磁により中央で逆の磁極に二分するようにしても良い。
【００３３】
また、各第２ボビン部８ａ，８ｂは枠組み状に直方体に構成され中空構造となっているので、各第２ボビン部８ａ，８ｂの中空部分にそれぞれ対向ヨーク２２，２３が配置され、各対向ヨーク２２，２３にはそれぞれマグネット表裏に図６に示すように面方向に着磁されたサブマグネット２４，２５が固着されている。この場合、各第２ボビン部８ａ，８ｂの上方は上側ピース７により覆われ、各第２ボビン部８ａ，８ｂの上方をそれぞれ覆う上側ピース７の各部分は矩形の枠組み状で強度向上のために中央に桟７ｅ，７ｆが入っている。その為、各対向ヨーク２２，２３の上面は前記桟７ｅ，７ｆを避けるように凹部２６，２７が形成されている。これにより対向ヨーク２２，２３はメインマグネット５，６と同等の高さが確保されている。
【００３４】
このような磁気回路により各メインマグネット５，６にそれぞれ対向する各トラッキングコイル１２は各メインマグネット５，６から左右で二分して相違する磁極の磁界内に各有効領域に流れる駆動電流が逆向きになるように配置され、かつ各トラッキングコイル１２の巻回方向が対向するメインマグネット５，６から見て同じ回り方向になっており、トラッキングコイル１２にトラッキングエラー信号が供給されると、各トラッキングコイル１２に同一のトラッキング方向に駆動力が発生される。その為、レンズホルダー４はトラッキングエラー信号の極性に応じた向きで、トラッキングエラー信号の電流量に応じた変位量によりトラッキング方向に駆動されることになる。
【００３５】
各トラッキングコイル１２へのトラッキングエラー信号の供給は、上下方向の中間に架設される左右の支持ワイヤー１８により突部１５ａ，１５ｂに絡げられた各トラッキングコイル１２の端末を経由して行われる。
【００３６】
また、各フォーカスコイル１３ａ，１３ｂは互いに反対回り方向に所定の同一回数巻回され、各フォーカスコイル１３ａ，１３ｂごとに挟まれるメインマグネット５，６の対向する磁極が相違されており、各フォーカスコイル１３ａ，１３ｂにフォーカスエラー信号が供給されると、各フォーカスコイル１３ａ，１３ｂに同一のフォーカス方向に駆動力が発生される。その為、レンズホルダー４はフォーカスエラー信号の極性に応じた向きで、フォーカスエラー信号の電流量に応じた変位量によりフォーカス方向に駆動されることになる。
【００３７】
各フォーカスコイル１３ａ，１３ｂへのフォーカスエラー信号の供給は、１番上に架設される左右の支持ワイヤー１８により突部１６ａ，１６ｂに絡げられた各フォーカスコイル１３ａ，１３ｂの端末を経由して行われる。
【００３８】
また、チルトコイル１４ａ，１４ｂは互いに同じ回り方向に所定の同一回数巻回され、各チルトコイル１４ａ，１４ｂごとに挟まれるメインマグネット５，６の対向する磁極が相違されており、各チルトコイル１４ａ，１４ｂにチルトエラー信号が供給されると、各チルトコイル１４ａ，１４ｂに互いに逆向きのフォーカス方向に駆動力が発生される。その為、レンズホルダー４はチルトエラー信号の極性に応じた向きで、チルトエラー信号の電流量に応じた変位量によりラジアルスキュー方向に駆動されることになる。
【００３９】
各チルトコイル１４ａ，１４ｂへのチルトエラー信号の供給は、１番下に架設される左右の支持ワイヤー１８により突部１７ａ，１７ｂに絡げられた各チルトコイル１４ａ，１４ｂの端末を経由して行われる。
【００４０】
尚、各フォーカスコイル１３ａ，１３ｂ及び各チルトコイル１４ａ，１４ｂのトラッキング方向に垂直な面のうち対物レンズ９に近接する側には、各対向ヨーク２２，２３及び各対向ヨーク２２，２３にそれぞれ固着されるサブマグネット２４，２５によりメインマグネット５，６との間に形成される磁界も有効に作用する。
【００４１】
ところで、レンズホルダー４を構成する上側ピース７及び下側ピース８は、液晶ポリマー、あるいはポリフェニレンサルファイド等を主成分とする合成樹脂材による成型により形成され、枠組み状の形態により軽量化を図りながら、結合させて剛性の向上を図っている。
【００４２】
そして、トラッキング方向に垂直な対物レンズ９の光軸を含む仮想面に対して、及びトラッキング方向に平行な対物レンズ９の光軸を含む仮想面に対して対物レンズ９を装着したレンズホルダー４及び各駆動コイルから成るアクチュエータ可動部は面対称となっていると共に、磁気回路も面対称となっており、捩れ振動が発生し難くフォーカス高次共振及びトラッキング高次共振の位相ズレ対策に有利な構成となっている。
【図面の簡単な説明】
【００４３】
【図１】本発明に係る対物レンズ駆動装置の一例の完成状態を示す斜視図である。
【図２】図１の対物レンズ駆動装置の本発明の主要部であるレンズホルダーを示した展開斜視図である。
【図３】レンズホルダー４の構成を説明する展開斜視図である。
【図４】上側ピース７及び下側ピース８を結合させてレンズホルダー４を構成した状態を示す斜視図である。
【図５】磁気回路の構成を説明する斜視図である。
【図６】磁気回路の磁極を説明する平面図である。
【符号の説明】
【００４４】
１        アクチュエータフレーム
４        レンズホルダー
４ａ        設置部
４ｂ、４ｃ        側壁
５，６        メインマグネット
７        上側ピース
７ａ        第１ボビン部
８        下側ピース
８ａ，８ｂ        第２ボビン部
９        対物レンズ
１２        トラッキングコイル
１３ａ，１３ｂ        フォーカスコイル
１４ａ，１４ｂ        チルトコイル
１５ａ，１５ｂ，１６ａ，１６ｂ，１７ａ，１７ｂ        突部
１８        支持ワイヤー
２２，２３        対向ヨーク
２４，２５        サブマグネット
【図１】
2006344276.tif 000003
【図２】
2006344276.tif 000004
【図３】
2006344276.tif 000005
【図４】
2006344276.tif 000006
【図５】
2006344276.tif 000007
【図６】
2006344276.tif 000008